(57)【特許請求の範囲】
【請求項１】
本体２と、本体２を天井１００に吊り下げ設置する吊り部材３を備え、
前記本体２に、空気を浄化するフィルタ６０と、モータ７１のモータ軸７２にファン７３を設け、前記モータ７１でファン７３を回転する送風機７０を設け、該ファン７３の回転により本体２内に空気を吸い込み、その吸い込んだ空気をフィルタ６０を通して浄化し、浄化した空気を本体２から排気するようにし、
前記本体２に照明具５２を設けた空気清浄機能付き照明装置であって、
前記モータ軸７２は前記本体２の吊り下げ方向に向かい、
前記ファン７３は、回転中心側から空気を吸い込み、かつ吸い込んだ空気を外周側に、当該ファン７３の回転方向と同じ方向の旋回流として吐出し、
前記本体２における前記ファン７３の外周側に、前記ファン７３から吐出される空気を受ける受風面８１を有し、前記受風面８１に前記ファン７３から吐出される空気が当たることで前記本体２にファン回転方向と同じ方向の回転力が加わるようにした複数の緩衝部８０を設け、
前記各緩衝部８０は、前記モータ７１のモータ軸中心７２ａを中心としたモータ軸７２と直交する面上の仮想円ａに沿って円周方向に等間隔に設けられていることを特徴とする空気清浄機能付き照明装置。
【請求項２】
本体２と、本体２を天井１００に吊り下げ設置する吊り部材３を備え、
前記本体２に、空気を浄化するフィルタ６０と、モータ７１のモータ軸７２にファン７３を設け、前記モータ７１でファン７３を回転する送風機７０を設け、該ファン７３の回転により本体２内に空気を吸い込み、その吸い込んだ空気をフィルタ６０を通して浄化し、浄化した空気を本体２から排気するようにし、
前記本体２に照明具５２を設けた空気清浄機能付き照明装置であって、
前記モータ軸７２は前記本体２の吊り下げ方向に向かい、
前記ファン７３は、回転中心側から空気を吸い込み、かつ吸い込んだ空気を外周側に、当該ファン７３の回転方向と同じ方向の旋回流として吐出し、
前記本体２における前記ファン７３の外周側に、前記ファン７３から吐出される空気を受ける受風面８１を有し、前記受風面８１に前記ファン７３から吐出される空気が当たることで前記本体２にファン回転方向と同じ方向の回転力が加わるようにした複数の緩衝部８０を設け、
前記各緩衝部８０は、前記モータ７１のモータ軸中心７２ａに対して点対称に設けてあることを特徴とする空気清浄機能付き照明装置。
【請求項３】
本体２と、本体２を天井１００に吊り下げ設置する吊り部材３を備え、
前記本体２に、空気を浄化するフィルタ６０と、モータ７１のモータ軸７２にファン７３を設け、前記モータ７１でファン７３を回転する送風機７０を設け、該ファン７３の回転により本体２内に空気を吸い込み、その吸い込んだ空気をフィルタ６０を通して浄化し、浄化した空気を本体２から排気するようにし、
前記本体２に照明具５２を設けた空気清浄機能付き照明装置であって、
前記モータ軸７２は前記本体２の吊り下げ方向に向かい、
前記ファン７３は、回転中心側から空気を吸い込み、かつ吸い込んだ空気を外周側に、当該ファン７３の回転方向と同じ方向の旋回流として吐出し、
前記本体２における前記ファン７３の外周側に、前記ファン７３から吐出される空気を受ける受風面８１を有し、前記受風面８１に前記ファン７３から吐出される空気が当たることで前記本体２にファン回転方向と同じ方向の回転力が加わるようにした複数の緩衝部８０を設け、
前記緩衝部８０は、前記モータ７１のモータ軸中心７２ａを中心としたモータ軸７２と直交する面上の仮想円ａ上に、２つ以上の緩衝部８０からなる緩衝部集合体として円周方向に間隔を置いて複数設けられ、
前記各緩衝部集合体における緩衝部８０の間隔は均等で、前記緩衝部集合体の間隔は均等で、
前記緩衝部８０の間隔よりも前記緩衝部集合体の間隔が大きいことを特徴とする空気清浄機能付き照明装置。
【請求項４】
前記各緩衝部８０は、モータ軸中心７２ａを通るモータ軸７２と直交する仮想直線ｂ上に位置し、各緩衝部８０の受風面８１は前記仮想直線ｂと平行である請求項１又は２又は３記載の空気清浄機能付き照明装置。
【請求項５】
前記各緩衝部８０は、モータ軸中心７２ａを通るモータ軸７２と直交する仮想直線ｂ上に位置し、各緩衝部８０の受風面８１は前記仮想直線ｂに対して角度を有し、受風面８１のモータ軸７２から遠い方の端部が受風面８１のモータ軸７２に近い方の端部よりもファン７３の回転方向の前側である請求項１又は２又は３記載の空気清浄機能付き照明装置。
【請求項６】
前記各緩衝部８０は、モータ軸中心７２ａを通るモータ軸７２と直交する仮想直線ｂ上に位置し、各緩衝部８０の受風面８１は前記仮想直線ｂに対して角度を有し、受風面８１のモータ軸７２から遠い方の端部が受風面８１のモータ軸７２に近い方の端部よりもファン７３の回転方向の後側である請求項１又は２又は３記載の空気清浄機能付き照明装置。
【請求項７】
前記各緩衝部８０は、受風面８１の一部または全部はファン７３の回転方向に向かって凸となるように湾曲形状である請求項１〜３、５，６いずれか１項記載の空気清浄機能付き照明装置。
【発明の詳細な説明】
【技術分野】
【０００１】
本発明は、空気を浄化する空気清浄機能を有した空気清浄機能付き照明装置に関する。
【背景技術】
【０００２】
従来から、卓上料理によって発生する油煙等を捕集し、浄化した後に室内へ排気する空気清浄機能付き照明装置が種々知られている。
例えば、特許文献１に開示されたように、天井に吊り下げ設置される空気清浄機能付き照明装置が知られている。
この空気清浄機能付き照明装置は、天井に吊り下げ設置される傘と、この傘の内部に設けた照明ランプ、送風機、フィルタと、傘を天井に吊り下げ設置する吊り部材を備えている。
そして、傘を天井に吊り下げ設置した状態で、送風機のモータに通電してファンを回転して送風機を駆動することにより、卓上料理によって発生した油煙等を傘の下部から吸い込んで傘内に捕集し、捕集した油煙をフィルタを通して浄化し、浄化した空気を傘の上部から室内に排気している。
【先行技術文献】
【特許文献】
【０００３】
【特許文献１】特開平１０−２４１４５５号公報
【発明の概要】
【発明が解決しようとする課題】
【０００４】
特許文献１の空気清浄機能付き照明装置は、送風機のファンが停止状態から定常回転状態となるまでの間である送風機の起動時に、ファンの慣性力によって傘がファンの回転方向と反対方向に回転することが起きる。
傘が、送風機の起動時にファンの回転方向と反対方向に回転することで、吊り部材や天井と傘との間の配線に負荷がかかり、吊り部材、配線などの各部品の寿命が短く、耐久性に劣るものとなる。
【０００５】
本発明は、前述した課題に鑑みなされたものであり、その目的は、送風機の起動時に起きる本体のファン回転方向と反対方向の回転を抑制し、吊り部材や配線等にかかる負荷を減らすことで各部品の長寿命化を図ることができる空気清浄機能付き照明装置とすることである。
【課題を解決するための手段】
【０００６】
本発明の第１の空気清浄機能付き照明装置は、本体２と、本体２を天井１００に吊り下げ設置する吊り部材３を備え、
前記本体２に、空気を浄化するフィルタ６０と、モータ７１のモータ軸７２にファン７３を設け、前記モータ７１でファン７３を回転する送風機７０を設け、該ファン７３の回転により本体２内に空気を吸い込み、その吸い込んだ空気をフィルタ６０を通して浄化し、浄化した空気を本体２から排気するようにし、
前記本体２に照明具５２を設けた空気清浄機能付き照明装置であって、
前記モータ軸７２は前記本体２の吊り下げ方向に向かい、
前記ファン７３は、回転中心側から空気を吸い込み、かつ吸い込んだ空気を外周側に、当該ファン７３の回転方向と同じ方向の旋回流として吐出し、
前記本体２における前記ファン７３の外周側に、前記ファン７３から吐出される空気を受ける受風面８１を有し、前記受風面８１に前記ファン７３から吐出される空気が当たることで前記本体２にファン回転方向と同じ方向の回転力が加わるようにした複数の緩衝部８０を設け、
前記各緩衝部８０は、前記モータ７１のモータ軸中心７２ａを中心としたモータ軸７２と直交する面上の仮想円ａに沿って円周方向に等間隔に設けられていることを特徴とする空気清浄機能付き照明装置である。
【０００７】
本発明の第２の空気清浄機能付き照明装置は、本体２と、本体２を天井１００に吊り下げ設置する吊り部材３を備え、
前記本体２に、空気を浄化するフィルタ６０と、モータ７１のモータ軸７２にファン７３を設け、前記モータ７１でファン７３を回転する送風機７０を設け、該ファン７３の回転により本体２内に空気を吸い込み、その吸い込んだ空気をフィルタ６０を通して浄化し、浄化した空気を本体２から排気するようにし、
前記本体２に照明具５２を設けた空気清浄機能付き照明装置であって、
前記モータ軸７２は前記本体２の吊り下げ方向に向かい、
前記ファン７３は、回転中心側から空気を吸い込み、かつ吸い込んだ空気を外周側に、当該ファン７３の回転方向と同じ方向の旋回流として吐出し、
前記本体２における前記ファン７３の外周側に、前記ファン７３から吐出される空気を受ける受風面８１を有し、前記受風面８１に前記ファン７３から吐出される空気が当たることで前記本体２にファン回転方向と同じ方向の回転力が加わるようにした複数の緩衝部８０を設け、
前記各緩衝部８０は、前記モータ７１のモータ軸中心７２ａに対して点対称に設けてあることを特徴とする空気清浄機能付き照明装置である。
【０００８】
本発明の第３の空気清浄機能付き照明装置は、本体２と、本体２を天井１００に吊り下げ設置する吊り部材３を備え、
前記本体２に、空気を浄化するフィルタ６０と、モータ７１のモータ軸７２にファン７３を設け、前記モータ７１でファン７３を回転する送風機７０を設け、該ファン７３の回転により本体２内に空気を吸い込み、その吸い込んだ空気をフィルタ６０を通して浄化し、浄化した空気を本体２から排気するようにし、
前記本体２に照明具５２を設けた空気清浄機能付き照明装置であって、
前記モータ軸７２は前記本体２の吊り下げ方向に向かい、
前記ファン７３は、回転中心側から空気を吸い込み、かつ吸い込んだ空気を外周側に、当該ファン７３の回転方向と同じ方向の旋回流として吐出し、
前記本体２における前記ファン７３の外周側に、前記ファン７３から吐出される空気を受ける受風面８１を有し、前記受風面８１に前記ファン７３から吐出される空気が当たることで前記本体２にファン回転方向と同じ方向の回転力が加わるようにした複数の緩衝部８０を設け、
前記緩衝部８０は、前記モータ７１のモータ軸中心７２ａを中心としたモータ軸７２と直交する面上の仮想円ａ上に、２つ以上の緩衝部８０からなる緩衝部集合体として円周方向に間隔を置いて複数設けられ、
前記各緩衝部集合体における緩衝部８０の間隔は均等で、前記緩衝部集合体の間隔は均等で、
前記緩衝部８０の間隔よりも前記緩衝部集合体の間隔が大きいことを特徴とする空気清浄機能付き照明装置である。
【０００９】
本発明の第１・第２・第３の空気清浄機能付き照明装置においては、前記各緩衝部８０は、モータ軸中心７２ａを通るモータ軸７２と直交する仮想直線ｂ上に位置し、各緩衝部８０の受風面８１は前記仮想直線ｂと平行とすることができる。
【００１０】
このようにすれば、ファン７３から旋回流として吐出される空気が緩衝部８０付近で滞留することが少なくなるため圧力が低く、ファン７３の回転に負担をかけることなく送風機の起動時に起きる本体２の回転を抑制することができる。
また、ファン７３から旋回流として吐出される空気を逃さず効率よく緩衝部８０の受風面８１へ当てることができるため、送風機の起動時に起きる本体２の回転をより抑制することができる。
【００１１】
本発明の第１・第２・第３の空気清浄機能付き照明装置においては、前記各緩衝部８０は、モータ軸中心７２ａを通るモータ軸７２と直交する仮想直線ｂ上に位置し、各緩衝部８０の受風面８１は前記仮想直線ｂに対して角度を有し、受風面８１のモータ軸７２から遠い方の端部が受風面８１のモータ軸７２に近い方の端部よりもファン７３の回転方向の前側とすることができる。
【００１２】
このようにすれば、ファン７３から旋回流として吐出される空気は緩衝部８０の受風面８１に当たった後に緩衝部８０から抜けていくため、緩衝部８０の受風面８１に当たった空気の滞留が少なく、ファン７３の回転に負担をかけることなく送風の起動時に起きる本体２の回転を抑制することができる。
【００１３】
本発明の第１・第２・第３の空気清浄機能付き照明装置においては、前記各緩衝部８０は、モータ軸中心７２ａを通るモータ軸７２と直交する仮想直線ｂ上に位置し、各緩衝部８０の受風面８１は前記仮想直線ｂに対して角度を有し、受風面８１のモータ軸７２から遠い方の端部が受風面８１のモータ軸７２に近い方の端部よりもファン７３の回転方向の後側とすることができる。
【００１４】
このようにすれば、ファン７３から旋回流として吐出される空気を効率的に緩衝部８０の受風面８１へ当てることができるため、送風機の起動時に起きる本体２の回転をより抑制することができる。
しかも、ファン７３から旋回流として吐出される空気の流速が速い上流の空気を多く緩衝部８０の受風面８１に当てることができるため、緩衝部８０により本体２により強いファン回転方向の力を加えることができる。
【００１５】
本発明の第１・第２・第３の空気清浄機能付き照明装置においては、前記各緩衝部８０は、受風面８１の一部または全部はファン７３の回転方向に向かって凸となるように湾曲形状とすることができる。
【００１６】
このようにすれば、ファン７３から旋回流として吐出される空気をより効率的に緩衝部８０の受風面８１に当てることができるため、送風機の起動時に起きる本体２の回転をより抑制することができる。
【発明の効果】
【００１７】
本発明の空気清浄機能付き照明装置によれば、ファン７３から旋回流として吐出される空気が緩衝部８０の受風面８１に当てることで、ファン７３の回転方向と同じ方向の回転力が本体２に加わるから、送風機の起動時に起きるファン７３の回転方向とは逆向きの回転を抑制することができる。
したがって、吊り部材３、配線等にかかる負荷を減らすことができるから、各部品の長寿命化を図ることができる。
また、本体２の各部に加わる回転力のつり合いがとれるため、本体２が水平方向に動くことがなく、安定した運転状態を保つことができる。
【図面の簡単な説明】
【００１８】
【図１】空気清浄機能付き照明装置の全体正面図である。
【図２】本体の平面図である。
【図３】本体の縦断面斜視図である。
【図４】図３のＡ−Ａ断面図である。
【図５】照明装置の本体部分の縦断面斜視図である。
【図６】図５のＢ−Ｂ断面図である。
【図７】フィンの説明図である。
【図８】フィンの第２の実施形態を示す説明図である。
【図９】フィンの第３の実施形態を示す説明図である。
【図１０】フィンの第４の実施形態を示す説明図である。
【図１１】フィンの第５の実施形態を示す説明図である。
【図１２】フィンの第６の実施形態を示す説明図である。
【図１３】空気清浄機能付き照明装置の第２の実施形態を示す斜視図である。
【図１４】空気清浄機能付き照明装置の第３の実施形態を示す斜視図である。
【発明を実施するための形態】
【００１９】
本発明の空気清浄機能付き照明装置の実施形態を説明する。
図１に示すように、空気清浄機能付き照明装置１は、本体２と、本体２を天井１００に吊り下げ設置する吊り部材３を備えている。
本体２は、図示しない卓上の調理器の真上となるように吊り部材３で天井１００に吊り下げ設置される。
実施形態の吊り部材３は、本体２の上部に連結した複数の吊りワイヤ３ａ、例えば３本の吊りワイヤ３ａと、各吊りワイヤ３ａの上部が連結され、天井１００に取り付ける天井取付部材３ｂを有している。
【００２０】
図２と図３に示すように、本体２は外周面が円形状のほぼ筒状形状である。
本体２は、内部に空気流通部４を有している。空気流通部４は本体２の下部に開口した吸気口４ａと、本体２の上部に開口した排気口４ｂと、吸気口４ａと排気口４ｂとの間に空気流通方向に離隔して設けたフィルタ収容部４ｃ、送風機収容部４ｄを備えている。
フィルタ収容部４ｃは空気流通部４の吸気口４ａ寄りに設けてある。フィルタ収容部４ｃの下部は吸気口４ａと連続している。
送風機収容部４ｄは空気流通部４の排気口４ｂ寄りに設けてある。送風機収容部４ｄの下部はフィルタ収容部４ｃの上部と連続し、送風機収容部４ｄの上部は排気口４ｂと連続している。
【００２１】
本体２の詳細を図２〜図４に基づき説明する。
本体２は、ほぼ筒状のシェード（傘）１０と、シェード１０内の下部寄りに設けたほぼ筒状の下ケーシング２０と、シェード１０内の上部寄りに下ケーシング２０の上部と連続して設けたほぼ筒状の上ケーシング３０と、シェード１０の上部に上ケーシング３０と上下方向に対向して設けた上覆部４０を備えている。
【００２２】
シェード１０は、下部の径が上部の径よりも大きい円形の筒体１１と、筒体１１の内周面の下部寄りに設けた外周と内周が円形のリング状の照明カバー１２と、筒体１１の上端周縁に内向きに設けた内周面が円形の環状の上フランジ１３を有している。つまり、シェード１０は上面と下面が開口したほぼ筒状である。
筒体１１の内周面の照明カバー１２よりも下部が空気流通部４の吸気口４ａである。
【００２３】
下ケーシング２０は、矩形状で、下端周縁に外周面が円形の外向きの取付フランジ２１ａを有した筒体２１と、筒体２１の上部周縁に内向きに設けた上面板２２と、筒体２１の取付フランジ２１ａに着脱自在に取り付けた外周面が円形のフィルタ取付用プレート２３を備えている。
下ケーシング２０の筒体２１の径、高さ（上下寸法）は、シェード１０の筒体１１の径、高さ（上下寸法）よりも小さい。これにより下ケーシング２０の筒体２１の外周面とシェード１０の筒体１１の内周面との間に環状の照明取付用空間部２ａを形成している。
下ケーシング２０の内部が空気流通部４のフィルタ収容部４ｃである。フィルタ収容部４ｃ（下ケーシング２０の内部）はフィルタ取付用プレート２３の円形の取付用開口２３ａでシェード１０の筒体１１の内周面の下部（空気流通部４の吸気口４ａ）に連通している。
【００２４】
下ケーシング２０の上面板２２には空気流通用の開口２２ａを有している。
上面板２２の下面に多孔プレート２４を取り付け、この多孔プレート２４で上面板２２の開口２２ａを覆っている。つまり、多孔プレート２４の孔２４ａが空気流出口である。
上面板２２の下面における多孔プレート２４よりも外周寄りにフィルタストッパ２５が下向きに設けてある。
【００２５】
シェード１０の照明カバー１２は、シェード１０の筒体１１の内周面の下部と下ケーシング２０の筒体２１の取付フランジ２１ａとに渡って取り付けてある。
これにより、環状の照明取付用空間部２ａの下部は照明カバー１２で覆っている。照明カバー１２は光を透過する材料で作製してある。
【００２６】
照明取付用空間部２ａには照明取付部材５０が設けてある。
実施形態の照明取付部材５０は外周が円形で内周が矩形のリング形状で、その外周寄りに照明取付部、例えば環状の下向き凹部５１を有している。照明取付部材５０は、内周部が下ケーシング２０の筒体２１の外周面に取り付けてある。
照明取付部材５０の照明取付部である下向き凹部５１は照明カバー１２の上方に位置している。
【００２７】
上ケーシング３０は、円形の筒体３１と、筒体３１の下端周縁に内周に向けて設けた内周面が円形の下フランジ３２と、筒体３１の上端周縁に外向きに設けた外周面が円形の上フランジ３３を有している。
上フランジ３３は、円形リング状の上向片３３ａを有している。
上ケーシング３０の筒体３１の径、高さ（上下寸法）は、シェード１０の筒体１１の径、高さ（上下寸法）よりも小さい。
上ケーシング３０の下フランジ３２の内周面の大きさは下ケーシング２０の上面板２２の開口２２ａよりも大きい。
上ケーシング３０の下フランジ３２は下ケーシング２０の上面板２２に接し、上ケーシング３０の上フランジ３３の外周寄りはシェード１０の上フランジ１３の下面周縁に接している。シェード１０の上フランジ１３と上ケーシング３０の上フランジ３３の上向片３３ａはほぼ同一高さである。
下ケーシング２０の上面板２２の開口２２ａを形成する部分は上向きに立ち上がり、その上向きに立ち上がった部分は上ケーシング３０の下フランジ３２の内周面から筒体３１内に突出し、多孔プレート２４の孔２４ａを通り下ケーシング２０と上ケーシング３０とに渡って空気が流通するようにしてある。
【００２８】
上覆部４０は、上ケーシング３０の筒体３１、上フランジ３３と対向したほぼ円板状で、上覆部４０の下面と上ケーシング３０との間に送風機収容部４ｄを形成している。
上ケーシング３０の上フランジ３３と上覆部４０の外周寄り部分が上下方向に離隔して対向し、両者の間に周方向に連続し、ほぼ水平方向に向かう排気口４ｂを形成している。
実施形態の上覆部４０は、円形状の下面板４１と下面板４１の外周寄り上面に取り付けた円形環状のプレート４２と、下面板４１の中央寄り上面に設けた内カバー４３、外カバー４４を備えている。
下面板４１が上ケーシング３０の筒体３１の上方に位置し、プレート４２が上ケーシング３０の上フランジ３３の上方に位置している。
内カバー４３、外カバー４４は、筒体４３ａ，４４ａと上面板４３ｂ、４４ｂを有し、各筒体４３ａ，４４ａを下面板４１の上面に着脱自在に取り付けてある。
【００２９】
上ケーシング３０の下フランジ３２の上面に複数の支持部材３４の下端面を周方向に間隔を置いて上下方向に向けて配設してある。各支持部材３４の上端面を上覆部４０の下面、例えば下面板４１の下面に接する。実施形態では、支持部材３４は上下部にねじ穴を形成したロッドで、周方向に等間隔で４本有している。
ボルト３５を、多孔プレート２４、下ケーシング２０の上面板２２、上ケーシング３０の下フランジ３２にそれぞれ形成した図示しない穴に挿通し、そのボルト３５を支持部材３４の下部に形成した図示しないボルト穴に螺合することで、多孔プレート２４と下ケーシング２０の上面板２２と上ケーシング３０の下フランジ３２と支持部材３４の下端部を連結する。
ボルト３６を、上覆部４０のプレート４２、下面板４１に形成した図示しない穴を通して支持部材３４の上部に形成した図示しないボルト穴に螺合することで、プレート４２と下面板４１と支持部材３４の上端部を連結する。
これにより、下ケーシング２０と上ケーシング３０が連結されると共に、上ケーシング３０と上覆部４０が、上ケーシング３０の上方に上覆部４０が上下方向に離隔して連結される。
【００３０】
図５に示すように、本体２の空気流通部４のフィルタ収容部４ｃにフィルタ６０が収容されている。
実施形態では、下ケーシング２０のフィルタ取付用プレート２３の取付用開口２３ａに着脱自在に取り付けたグリスフィルタ（プレフィルタ）６１と、フィルタ取付用プレート２３の上面に設けた脱油フィルタ６２と、脱油フィルタ６２の上に設けた脱煙フィルタ６３と、脱煙フィルタ６３の上に設けた脱臭フィルタ６４を備えている。
グリスフィルタ６１と脱油フィルタ６２は外周面が円形で、脱煙フィルタ６３と脱臭フィルタ６４は外周面が矩形である。
【００３１】
図５に示すように、本体２の空気流通部４の送風機収容部４ｄに送風機７０が収容されている。
送風機７０は、モータ７１と、モータ７１で回転されるモータ軸７２に取り付けたファン７３を有している。
送風機７０のモータ７１とファン７３は送風機収容部４ｄに収容されている。モータ７１は上覆部４０、例えば、下面板４１に固定してある。モータ７１には天井１００から図示しない配線が内カバー４３、外カバー４４の穴４３ｃ，４４ｃ及び下面板４１の穴４１ａを通して接続されている。
ファン７３は軸流ファン、例えばシロッコファンで、ファン７３が回転することで、ファン７３の回転中心側からモータ軸７２の軸方向に空気を吸い込み、吸い込んだ空気をファン７３の外周側に吐出する。その吐出する空気はファン７３の回転方向と同じ方向の旋回流である。
上覆部４０に吊り部材３が連結してある。例えば、外カバー４４の上面板４４ｂに吊りワイヤ３ａが連結してある。
【００３２】
ファン７３は、回転中心側が下ケーシング２０の上面板２２の開口２２ａと対向している。ファン７３の外周面は上ケーシング３０の筒体３１の内周面と対向し、ファン７３の外周面と筒体３１の内周面との間に環状空間３７を形成している。
環状空間３７は排気口４ｂと連通している。
【００３３】
送風機７０は、ファン７３のみが送風機収容部４ｄ内に収容されるように取り付けても良い。
例えば、モータ７１を、上覆部４０の下面板４１の上面に取り付ける。モータ７１のモータ軸７２を下面板４１を貫通して送風機収容部４ｄに突出し、そのモータ軸７２にファン７３を取り付けることで、ファン７３のみを送風機収容部４ｄ内に収容する。
【００３４】
このようであるから、ファン７３が回転することで、ファン７３から空気がファン７３の回転方向と同じ方向の旋回流として吐出される。
ファン７３から吐出された空気は、上覆部４０のプレート４２に当たることで、モータ軸７２の軸方向と直角方向、つまり回転中心線と直角方向に排気口４ｂから排気される。
【００３５】
照明取付部材５０の下向き凹部５１に照明具５２が下向きに取り付けてある。
実施形態では、照明具５２として発光ダイオードが周方向に間隔を置いて複数設けてある。
なお、照明具５２としては、発光ダイオードに限ることはなく、蛍光灯、電球などを用いることができる。
【００３６】
このようであるから、照明具５２を点灯することで、照明カバー１２を透して本体２の下方を照明することができる。
また、送風機７０が駆動することで、シェード１０の下方の空気が吸気口４ａから吸い込まれる。その吸い込まれた空気はフィルタ６０を貫通することで浄化される。
浄化された空気は環状空間３７を通り排気口４ｂからほぼ水平方向に向けて本体２の外部に排気される。
これにより、空気清浄機能を有した照明装置となる。
【００３７】
実施形態では、本体２にモータ７１、照明具５２等を動作制御する図示しないコントローラが設けてある。例えば、本体２の照明取付用空間部２ａにコントローラが設けてある。
コントローラには図示しないリモートコントローラから制御信号が送られる。コントローラは送られた制御信号に基づいてモータ７１の回転、停止や、照明具５２の点灯、消灯などを行う。
リモートコントローラを用いずに、運転スイッチとコントローラを有線で接続しても良い。
【００３８】
送風機７０のモータ７１に通電することで、ファン７３が停止状態から定常回転状態となるまでの間である送風機の起動時に、ファン７３の慣性力等により本体２はファン７３の回転方向と反対方向、つまり逆向きに回転するので、送風機の起動時に本体２がファン７３の回転方向と逆向きに回転することが起きる。
このことにより、本体２を天井１００に吊り下げ設置する吊り部材３、天井１００から本体２までの配線（図示せず）に負荷がかかり、吊り部材３、配線の寿命が短く、耐久性が劣る。
【００３９】
本発明の空気清浄機能付き照明装置は、送風機７０のファン７３からファン回転方向と同じ方向の旋回流として吐出される空気を受ける緩衝部８０を、本体２に設ける。そして送風機７０の起動時にファン７３から旋回流として吐出される空気が緩衝部８０の受風面８１に当たることで、送風機の起動時に、本体２にファン回転方向と同じ方向の回転力が加わるようにしている。
【００４０】
これにより、送風機７０の起動時にファン７３の慣性力により起きる、本体２のファン回転方向と逆向きの回転を抑制することができるので、吊り部材３、配線にかかる負荷を減少し、長寿命化を図ることができる。
【００４１】
実施形態では、図５、図６に示すように上覆部４０の下面、例えばプレート４２の下面におけるファン７３の外周面よりも外周寄りにフィン８２を、ファン７３から旋回流として吐出される空気がフィン８２の一側面８２ａに当たるように、上ケーシング３０の上フランジ３３に向けて設け、そのフィン８２を緩衝部８０としている。
【００４２】
図７に示すように、フィン８２はモータ７１のモータ軸７２と直交する面（プレート４２の下面）におけるモータ軸７２の軸中心、つまりモータ軸中心７２ａを中心とする仮想円ａ上にファン７３の回転方向に（つまり、円周方向）等間隔に設けてある。
図５に示すように、フィン８２はモータ軸７２よりも上の位置に設けてあるが、フィン８２はモータ軸７２と同じ高さの位置に設けても良いし、フィン８２はモータ軸７２よりも下の位置に設けても良い。
【００４３】
このようにフィン８２を設けることで、ファン７３から当該ファン７３の回転方向と同じ方向の旋回流として吐出される空気は、各フィン８２に均等に当たり、プレート４２（本体２）の周方向の複数の部分（フィン８２を設けた部分）にファン回転方向と同じ方向の回転力が均等に加わることで、回転力のつり合いがとれる。
したがって、吊り下げ設置された本体２が水平方向に移動することがなく、照明装置１は安定した状態を維持して運転することができる。
【００４４】
図５、図６に示すフィン８２（緩衝部８０）は、図７に示すように、モータ軸中心７２ａを通るモータ軸７２と直交する仮想直線ｂ上にある。
フィン８２の空気が当たる一側面８２ａ、つまり緩衝部８０の受風面８１は、モータ軸中心７２ａを通るモータ軸７２と直交する仮想直線ｂと平行である。
【００４５】
このようであるから、ファン７３から旋回流として吐出される空気は、フィン８２の一側面８２ａに当った後に、その一側面８２ａに沿ってスムーズに流れ、その空気はフィン８２付近での滞留が少なくなるため圧力が小さく、ファン７３の回転に負担をかけることなく送風機の起動時に起きる本体２の回転を抑制することができる。
しかも、旋回流として吐出される空気は逃さず効率よくフィン８２の一側面８２ａに当ることができるため、送風機の起動時に起きる本体２の回転をより抑制することができる。
【００４６】
フィン８２（緩衝部８０）は、図８に示すようにフィン８２の一側面８２ａが仮想直線ｂと平行ではなく、一側面８２ａが仮想直線ｂと角度θを有して設けても良い。
つまり、フィン８２の一側面８２ａのモータ軸７２から遠い方の端部８２ａ−１がモータ軸７２に近い方の端部８２ａ−２よりもファン７３の回転方向で前側となるように角度θを有するように設けても良い。
なお、モータ軸中心７２ａを通るモータ軸７２と直交する仮想直線ｂとフィン８２の一側面８２ａ（緩衝部８０の受風面８１）とがなす角度θは４５°以下であることが好ましい。
【００４７】
このようにすれば、フィン８２の一側面８２ａに当った旋回流として吐出される空気のフィン８２付近での滞留が少なくなって一側面８２ａに沿って抜けていくため、ファン７３の回転に負担をかけることなく送風機の起動時に起きる本体２の回転を抑制できる。
【００４８】
図９に示すように、フィン８２の一側面８２ａが仮想直線ｂと平行ではなく、フィン８２の一側面８２ａのモータ軸７２から遠い方の端部８２ａ−１がモータ軸７２に近い方の端部８２ａ−２よりもファン７３の回転方向で後側となるようにフィン８２の一側面８２ａと仮想直線ｂが角度θを有するようにしても良い。
なお、モータ軸心７２ａを通るモータ軸７２と直交する仮想直線ｂとフィン８２の一側面８２ａとがなす角度θは４５°以下であることが好ましい。
【００４９】
このようにすれば、ファン７３から吐出され旋回流として吐出される空気を効率的にフィン８２の一側面８２ａへ当てることができるため、送風機の起動時に起きる本体２の回転をより抑制することができる。
しかも、旋回流として吐出される空気の流速が速い上流の空気を多くフィン８２に当てることができるため、本体２にフィン８２により強いファン回転方向と同じ方向の力を加えることができる。
【００５０】
フィン８２は、一側面８２ａが仮想直線ｂに沿った方向の直線面ではなく、図１０に示すようにファン７３に回転方向に向かって凸となるような湾曲形状としても良い。
つまり、図１０に示すようにフィン８２の一側面８２ａのファン７３から遠い方の端部８２ａ−１とファン７３に近い方の端部８２ａ−２との間の中間部８２ａ−３が、端部８２ａ−１、端部８２ａ−２よりもファン７３の回転方向前方寄りに位置がずれた湾曲形状とする。
なお、フィン８２の一側面８２ａの仮想直線ｂに沿った方向の全部が湾曲しても良いが、フィン８２の一側面８２ａの仮想直線ｂに沿った方向の一部が湾曲し、残りは仮想直線ｂに沿った直線面としても良い。
【００５１】
このようにすれば、ファン７３から旋回流として吐出される空気をより効率的にフィン８２の一側面８２ａへ与えることができるため、送風機の起動時に起きる本体２の回転をより抑制することができる。
【００５２】
前述の各実施形態では、フィン８２を仮想円ａ上に回転方向に等間隔で設けたが、これに限ることはない。
図１１に示すように、モータ軸中心７２ａを支点とする仮想円ａ上のモータ軸中心７２ａを境とした一側部ａ−１と他側部ａ−２に複数のフィン８２を、モータ軸中心７２ａに対して点対称に設けても良い。
例えば、仮想円ａの一側部ａ−１に第１・第２・第３フィン８２−１，８２−２，８３−３を設ける。仮想円ａの他側部ａ−２に第４・第５・第６フィン８２−４，８２−５，８２−６を設ける。
第１フィン８２−１と第４フィン８２−４、第２フィン８２−２と第５フィン８２−５、第３フィン８２−３と第６フィン８２−６をそれぞれモータ軸中心７２ａに対して点対称とする。
【００５３】
このようにすれば、本体２に加わる回転力のつり合いがとれ、吊り下げ設置された本体２が水平方向に移動することがなく、照明装置１は安定した状態を維持して運転することができる。
【００５４】
図１１に示すフィン８２は、その一側面８２ａがモータ軸中心７２ａを通るモータ軸７２と直交する仮想直線ｂと平行であるが、これに限ることはない。
フィン８２は、図８に示すフィン８２と同様にフィン８２の一側面８２ａと仮想直線ｂが角度を有しても良い。
また、フィン８２は、図９に示すフィン８２と同様にフィン８２の一側面８２ａと仮想直線ｂが角度を有しているようにしても良い。
また、フィン８２は、図１０に示すフィン８２と同様に、フィン８２の一側面８２ａが湾曲しているものとしても良い。
【００５５】
図１２に示すように、モータ軸中心７２ａを中心とする仮想円ａ上の複数位置に、複数のフィン８２からなるフィン集合体８２Ａ（つまり、複数の緩衝部８０からなる緩衝部集合体）をそれぞれ設ける。例えば、３つのフィン集合体８２Ａを設ける。
各フィン集合体８２Ａにおいて、各々のフィン８２の間隔（回転方向の間隔）ｃは均等で、各フィン集合体８２Ａの間隔（回転方向の間隔）ｄは均等である。
フィン集合体８２Ａ中の各々のフィン８２の間隔ｃは、フィン集合体８２Ａの間隔ｄよりも小さい。
【００５６】
このようにすれば、本体１２に加わる回転力のつり合いがとれ、吊り下げ設置された本体２が水平方向に移動することがなく、照明装置は安定した状態を維持して運転することがない。
【００５７】
図１２に示すフィン８２は、その一側面８２ａが仮想直線ｂと平行であるが、これに限ることはない。
フィン８２は、図８に示すフィン８２と同様に、フィン８２の一側面８２ａと仮想直線ｂが角度を有していても良い。
また、フィン８２は、図９に示すフィン８２と同様に、フィン８２の一側面８２ａと仮想直線ｂが角度を有していても良い。
また、フィン８２は、図１０に示すフィン８２と同様に、フィン８２の一側面８２ａが湾曲しているものとしても良い。
【００５８】
前述の各実施形態は、本体２の上覆部４０の下面であるプレート４２の下面にフィン８２を下向きに設け、そのフィン８２を空気流通部４の排気口４ｂに突出したが、これに限ることはない。
例えば、図１３又は図１４に示すように、本体２の排気口４ｂよりも排気方向下流寄りにフィン８２（緩衝部８０）を設けるようにしても良い。
【００５９】
図１３に示すように、上覆部４０は円形の筒体４５と上面板４６で下面が開口した筒状である。
上覆部４０は、筒体４５の下端周縁をシェード１０の上フランジ１３の内周面に沿って取り付けることでシェード１０に取り付ける。
筒体４５に排気口４ｂを形成することで、ファン７３から旋回流として吐出される空気が排気口４から旋回流として室内に排気されるようにする。
【００６０】
上覆部４０の筒体４５にフィン８２を、周方向に間隔を置いて放射状に複数取り付け、排気口４ｂから排気された旋回流として流れる空気が各フィン８２に当たるようにすることで、本体２にファン７３の回転方向と同じ方向の回転力が加わるようにする。
【００６１】
図１３における吊り部材３は１本の桁体３ｃとしてある。
図１３の符号５は配線である。
【００６２】
図１４に示すように、上覆部４０は円形の筒体４５と上面板４６で下面が開口した筒状である。
上覆部４０は、筒体４５の下端周縁をシェード１０の上フランジ１３の内周面に沿って取り付けることでシェード１０に取り付ける。
シェード１０の上フランジ１３に排気口４ｂを形成することで、ファン７３から旋回流として吐出される空気は旋回流として排気口４ｂから室内に排気される。
【００６３】
上覆部４０の筒体４５にフィン８２を、周方向に間隔を置いて放射状に複数取り付け、排気口４ｂから排気された旋回流として流れる空気が各フィン８２に当たるようにすることで、本体２にファン７３の回転方向と同じ方向の回転力が加わるようにする。
【００６４】
図１３、図１４に示すフィン８２は、図７〜図１２に示すフィン８２と同様とすることができる。
【００６５】
各実施形態のフィン８２は、一側面８２ａが上下方向に垂直面としてあるが、垂直面ではなくファン７３の回転方向に傾斜した傾斜面としても良い。
【符号の説明】
【００６６】
２…本体、３…吊り部材、４…空気流通部、４ａ…吸気口、４ｂ…排気口、４ｃ…フィルタ収容部、４ｄ…送風機収容部、１０…シェード、２０…下ケーシング、３０…上ケーシング、４０…上覆部、５０…照明具取付部材、５２…照明具、６０…フィルタ、７０…送風機、７１…モータ、７２…モータ軸、７３…ファン、８０…緩衝部、８１…受風面、８２…フィン、８２ａ…一側面、８２Ａ…フィン集合体（緩衝部集合体）。
【図１】
0006450125.tif 000002
【図２】
0006450125.tif 000003
【図３】
0006450125.tif 000004
【図４】
0006450125.tif 000005
【図５】
0006450125.tif 000006
【図６】
0006450125.tif 000007
【図７】
0006450125.tif 000008
【図８】
0006450125.tif 000009
【図９】
0006450125.tif 000010
【図１０】
0006450125.tif 000011
【図１１】
0006450125.tif 000012
【図１２】
0006450125.tif 000013
【図１３】
0006450125.tif 000014
【図１４】
0006450125.tif 000015